(57)【要約】【課題】  無線空間における相互干渉が軽減され、より良い伝送品質を得られるアンテナの垂直偏波、水平偏波を利用したホットスタンバイシステムの技術を提供すること。【解決手段】  プロテクション信号側の受信機１２の出力は、干渉波検出用の復調器１１５に入力されて復調された後、一部は信号比較器１１７に、一部はトランスバーサルフィルタ回路１１９に入力される。一方、主信号側の復調器１３の出力は信号比較器１１７に入力され、復調器１１５の出力と比較されて相関係数が検出される。相関係数が小さくなるように信号合成回路１０７に入力される信号の振幅、遅延時間をトランスバーサルフィルタ回路１１９により制御し、その信号を信号合成回路１０７に出力する。信号合成回路１０７においてトランスバーサルフィルタ回路１１９の出力と主信号側の復調器１３の出力とを合成することにより、プロテクション側の信号成分が除去されて信号が出力される。【選択図】  図１
2005341120.tif 000002
【特許請求の範囲】
【請求項１】
送出側より、異なる系の信号をそれぞれ垂直偏波及び水平偏波で送出し、受信側で、異なる系の一方で垂直偏波を、他方で水平偏波を受信し、一方の系の信号を選択して受信するホットスタンバイシステムにおいて、
無線空間にて起こる垂直偏波と水平偏波との間の相互干渉による干渉波を除去する干渉波除去手段を受信側に設けたことを特徴とするホットスタンバイシステム。
【請求項２】
前記干渉波除去手段は、垂直偏波から復調して得られる信号と、水平偏波から復調して得られる信号との相関係数が検出し、この相関係数が小さくなるように、一方の復調信号を制御して他方の復調信号に合成することにより、干渉波を除去することを特徴とする請求項１に記載のホットスタンバイシステム。
【請求項３】
送出側より、異なる系の信号をそれぞれ垂直偏波及び水平偏波で送出し、受信側で、異なる系の一方で垂直偏波を、他方で水平偏波を受信し、一方の系の信号を選択して受信するホットスタンバイシステムにおける受信機であって、
受信した垂直偏波及び水平偏波から得られ信号から、無線空間にて起こる垂直偏波と水平偏波との間の相互干渉による干渉波を除去する干渉波除去手段を有することを特徴とするホットスタンバイシステムにおける受信機。
【請求項４】
前記干渉波除去手段は、垂直偏波から復調して得られる信号と、水平偏波から復調して得られる信号との相関係数が検出し、この相関係数が小さくなるように、一方の復調信号を制御して他方の復調信号に合成することにより、干渉波を除去することを特徴とする請求項３に記載のホットスタンバイシステムにおける受信機。
【請求項５】
送出側より、異なる系の信号をそれぞれ垂直偏波及び水平偏波で送出し、受信側で、異なる系の一方で垂直偏波を、他方で水平偏波を受信し、一方の系の信号を選択して受信するホットスタンバイシステムの受信方法であって、
受信した垂直偏波及び水平偏波から得られ信号から、無線空間にて起こる垂直偏波と水平偏波との間の相互干渉による干渉波を除去し、いずれか一方の系の信号を選択して受信することを特徴とするホットスタンバイシステムの受信方法。
【請求項６】
垂直偏波から復調して得られる信号と、水平偏波から復調して得られる信号との相関係数が検出し、この相関係数が小さくなるように、一方の復調信号を制御して他方の復調信号に合成することにより、干渉波を除去することを特徴とする請求項５に記載のホットスタンバイシステムにおける受信方法。
【発明の詳細な説明】
【技術分野】
【０００１】
本発明はホットスタンバイシステムに関し、特に、異なる系の信号を垂直偏波及び水平偏波で送出するホットスタンバイシステムにおいて、無線空間における相互干渉が軽減され、より良い伝送品質が確保できるホットスタンバイシステムに関する。
【背景技術】
【０００２】
ホットスタンバイの送受信システムとして、デュアルアンテナを用いて、異なる系の信号を垂直偏波及び水平偏波で送出するホットスタンバイシステムが提案されている（例えば、特許文献１）。以下に、このホットスタンバイシステムを説明する。
【０００３】
ホットスタンバイの送受信システムは、図３に示される如く、ベースバンド信号入力端子１と、ベースバンド信号分配器２と、ディジタル処理部３，４と、変調器５，６と、送信機７，８と、デュアルアンテナ９，１０と、受信機１１，１２と、復調器１３，１４と、ディジタル処理部１７，１８と、ベースバンド切り替え制御盤１９と、ベースバンド切り替え器２０と、ベースバンド信号出力端子２１とから構成される。そして、このような構成において、以下のように動作する。
【０００４】
ベースバンド信号入力端子１に入力された信号は、ベースバンド分配器２により主信号及びプロテクション信号に分配され、それぞれディジタル処理部３，４、変調器５，６、送信機７，８、により同一周波数の高周波信号としてデュアルアンテナ９へ接続される。
【０００５】
受信側において主信号、プロテクション信号は、それぞれデュアルアンテナの垂直偏波、水平偏波側で受信され、受信機１１，１２、復調器１３，１４へ入力される。その後ディジタル処理部１７、１８を通りベースバンド信号となり、ベースバンド切り替え器２０に入力され、切り替え制御盤１９からの制御信号に基づき主信号、プロテクション信号のどちらか一方が選択されてベースバンド信号出力端子２１へ出力される。
【０００６】
この際切り替え制御盤１９には、主信号側及びプロテクション信号側の受信機１１，１２、復調器１３，１４およびディジタル処理部１７，１８からのエラー検出信号あるいはアラーム検出信号が入力され、品質が良い側の信号を選択するように制御信号をベースバンド切り替え器２０へ送出するように構成されている。
【０００７】
【特許文献１】公開特許公報平３−１０１４２４号公報
【発明の開示】
【発明が解決しようとする課題】
【０００８】
しかしながら、アンテナの垂直偏波及び水平偏波を利用したホットスタンバイシステムでは、無線空間にて起こる垂直偏波及び水平偏波間の相互干渉による干渉波がアンテナのXPD分しか軽減されないため、使用するアンテナのタイプあるいは伝搬区間の状態によっては干渉波の軽減量が足りず、伝送品質が劣化するという課題があった。
【０００９】
そこで、本発明は上記課題に鑑みて発明されたものであって、その目的は無線空間における相互干渉が軽減され、より良い伝送品質を得られるアンテナの垂直偏波及び水平偏波を利用したホットスタンバイシステムの技術を提供することにある。
【課題を解決するための手段】
【００１０】
上記課題を解決する第１の発明は、送出側より、異なる系の信号をそれぞれ垂直偏波及び水平偏波で送出し、受信側で、異なる系の一方で垂直偏波を、他方で水平偏波を受信し、一方の系の信号を選択して受信するホットスタンバイシステムにおいて、
無線空間にて起こる垂直偏波と水平偏波との間の相互干渉による干渉波を除去する干渉波除去手段を受信側に設けたことを特徴とする。
【００１１】
上記課題を解決する第２の発明は、上記第１の発明において、前記干渉波除去手段は、垂直偏波から復調して得られる信号と、水平偏波から復調して得られる信号との相関係数が検出し、この相関係数が小さくなるように、一方の復調信号を制御して他方の復調信号に合成することにより、干渉波を除去することを特徴とする。
【００１２】
上記課題を解決する第３の発明は、送出側より、異なる系の信号をそれぞれ垂直偏波及び水平偏波で送出し、受信側で、異なる系の一方で垂直偏波を、他方で水平偏波を受信し、一方の系の信号を選択して受信するホットスタンバイシステムにおける受信機であって、
受信した垂直偏波及び水平偏波から得られ信号から、無線空間にて起こる垂直偏波と水平偏波との間の相互干渉による干渉波を除去する干渉波除去手段を有することを特徴とする。
【００１３】
上記課題を解決する第４の発明は、上記第３の発明において、前記干渉波除去手段は、垂直偏波から復調して得られる信号と、水平偏波から復調して得られる信号との相関係数が検出し、この相関係数が小さくなるように、一方の復調信号を制御して他方の復調信号に合成することにより、干渉波を除去することを特徴とする。
【００１４】
上記課題を解決する第５の発明は、送出側より、異なる系の信号をそれぞれ垂直偏波及び水平偏波で送出し、受信側で、異なる系の一方で垂直偏波を、他方で水平偏波を受信し、一方の系の信号を選択して受信するホットスタンバイシステムの受信方法であって、
受信した垂直偏波及び水平偏波から得られ信号から、無線空間にて起こる垂直偏波と水平偏波との間の相互干渉による干渉波を除去し、いずれか一方の系の信号を選択して受信することを特徴とする。
【００１５】
上記課題を解決する第６の発明は、上記第５の発明において、垂直偏波から復調して得られる信号と、水平偏波から復調して得られる信号との相関係数が検出し、この相関係数が小さくなるように、一方の復調信号を制御して他方の復調信号に合成することにより、干渉波を除去することを特徴とする。
【００１６】
上記の如く、本発明は、デュアルアンテナの垂直偏波および水平偏波を使用して主信号およびプロテクション信号を伝送する、マイクロ波通信システムにおけるホットスタンバイシステムにおいて、受信側に干渉波除去器を装備することにより無線空間における垂直偏波、水平偏波間の相互干渉による伝送品質の劣化を軽減することを可能とすることを特徴としている。
【発明の効果】
【００１７】
本発明は、異なる系の信号、例えば、主信号及びプロテクション信号をデュアルアンテナの垂直偏波及び水平偏波を使用して伝送するホットスタンバイシステムにおいて、受信側に干渉波除去器を追加することにより、無線空間における相互干渉が軽減され、より良い伝送品質が確保できるという優れた効果を有する。
【発明を実施するための最良の形態】
【００１８】
まず、本発明のホットスタンバイシステムの全体構成を説明する。
【００１９】
本発明のホットスタンバイシステムは、図１に示される如く、ベースバンド信号入力端子１と、ベースバンド信号分配器２と、ディジタル処理部３，４と、変調器５，６と、送信機７，８と、デュアルアンテナ９，１０と、受信機１１，１２と、復調器１３，１４と、干渉波除去器１５，１６と、ディジタル処理部１７，１８と、ベースバンド切り替え制御盤１９と、ベースバンド切り替え器２０と、ベースバンド信号出力端子２１と、インターフェース盤２２，２３とから構成される。
【００２０】
上述のように構成されたホットスタンバイシステムにおいて、ベースバンド信号入力端子１に入力された信号はベースバンド分配器２により主信号及びプロテクション信号に分配されそれぞれディジタル処理部３，４、変調器５，６、送信機７，８、により同一周波数の高周波信号としてデュアルアンテナ９へ接続される。
【００２１】
受信機側において主信号、プロテクション信号はそれぞれデュアルアンテナの垂直偏波、水平偏波側で受信され、受信機１１，１２、復調器１３，１４、干渉波波除去器１５，１６へ入力される。干渉波除去器１５，１６、では、無線空間にて起こる垂直偏波および水平偏波間の相互干渉による干渉波（主信号に対してはプロテクション信号が、またプロテクション信号に対しては主信号がそれぞれ干渉波となる）を除去する。その後ディジタル処理部１７、１８、インターフェース盤２２，２３を通りベースバンド信号となり、ベースバンド切り替え器２０に入力される。そして、切り替え制御盤１９からの制御信号に基づき主信号、プロテクション信号のどちらか一方が選択され、ベースバンド信号出力端子２１へ出力される。この際切り替え制御盤１９には主信号側及びプロテクション信号側の受信機１１，１２、復調器１３，１４およびディジタル処理部１７，１８からのエラー検出信号あるいはアラーム検出信号が入力され、品質が良い側の信号を選択するように制御信号をベースバンド切り替え器２０に送出する。
【００２２】
次に、上述のホットスタンバイシステムにおける受信機側に設けられた干渉波除去器１５，１６の具体的な構成及び動作について説明する。
【００２３】
図２は干渉波除去器１５，１６の詳細図である。
【００２４】
図２において、１０１は主信号系入力端子であり、１０２はプロテクション信号系入力端子であり、１１３，１１４はベースバンド信号出力端子であり、１１５，１１６は干渉波除去器１５，１６の復調器であり、１０７，１０８は信号合成回路であり、１１７，１１８は信号比較器であり、１１９，１２０はトランスバーサルフィルタ回路である。尚、図１と同様な構成のものについては、同じ符号を付して説明を省略する。
【００２５】
続いて、干渉波除去器１５，１６の動作を説明する。
【００２６】
図２において、デュアルアンテナの垂直偏波および水平偏波で受信された信号はそれぞれ、受信入力端子１０１，１０２を介し受信機１１，１２に入力され、周波数変換されて変調器１３，１４、ディジタル処理部１７，１８、インターフェース盤２２，２３を通った後、ベースバンド信号出力端子１１３，１１４から出力される。
【００２７】
次に、干渉波除去の動作を主信号側に着目して説明する。
【００２８】
プロテクション信号側の受信機１２の出力の一部は、干渉波検出用の復調器１１５に入力されて復調された後、一部は信号比較器１１７に、一部はトランスバーサルフィルタ回路１１９に入力される。
【００２９】
一方、主信号側の復調器１３の出力の一部は、信号比較器１１７に入力され、復調器１１５の出力と比較されて相関係数が検出される。ここで、主信号側の復調器１３の出力にプロテクション側の信号成分が含まれていると相関が強くなる。この相関係数が小さくなるように、すなわち主信号に含まれるプロテクション側の信号成分が最小とする為、信号合成回路１０７に入力される信号の振幅、遅延時間をトランスバーサルフィルタ回路１１９により制御し、その信号を信号合成回路１０７に出力する。そして、信号合成回路１０７において、トランスバーサルフィルタ回路１１９の出力信号と、主信号側の復調器１３の出力信号とを合成することにより、プロテクション側の信号成分が除去されて信号が出力される。その後ディジタル処理部１７、インターフェース盤２２を通りベースバンド信号出力端子１１３より出力される。プロテクション信号側についても同様な動作が行われる。
【００３０】
以上の如く、受信側に干渉波除去器を追加することにより、無線空間における相互干渉が軽減され、より良い伝送品質が確保できる。
【図面の簡単な説明】
【００３１】
【図１】図１は本発明のホットスタンバイシステムの全体構成を示す図である。
【００３２】
【図２】図２は干渉波除去器１５，１６の構成図である。
【００３３】
【図３】図３は従来技術を示す図である。
【符号の説明】
【００３４】
１              ベースバンド信号入力端子
２              ベースバンド信号分配器
３，４          ディジタル処理部
５，６          変調器
７，８          送信機
９，１０        デュアルアンテナ
１１，１２      受信機
１３，１４      復調器
１５，１６      干渉波波除去器
１７，１８      ディジタル処理部
１９            ベースバンド切り替え制御盤
２０            ベースバンド切り替え器
２１            ベースバンド信号出力端子
２２，２３      インターフェース盤
１０１            主信号系入力端子
１０２              プロテクション信号系入力端子
１０７，１０８      信号合成回路
１１３，１１４      ベースバンド信号出力端子
１１５，１１６      復調器
１１７，１１８      信号比較器
１１９，１２０      トランスバーサルフィルタ回路
【図１】
2005341120.tif 000003
【図２】
2005341120.tif 000004
【図３】
2005341120.tif 000005